(57)【要約】【課題】従来の圧縮機では、密閉容器の振動値を積極的に低減させる手法は採られていなかったので、圧縮機の密閉容器の振動が問題となっていた。本発明は簡単な構成でトルク変動から生じる回転方向振動を低減させる密閉型圧縮機を提供するものである。【解決手段】電動機部とこの電動機部により駆動される圧縮機構部と前記電動機部と前記圧縮機構部を収納した密閉容器１０とアキュムレータ１３およびそれらを支える脚１１から構成された密閉型圧縮機のアキュムレータ１３の円周方向、または、半径方向にマグネット５０を取り付けることで、アキュムレータ部の重量を増加させ、慣性モーメントを増加させることにより、全運転周波数に対して圧縮機の回転方向振動を低減させる。【選択図】図１
2009097394.tif 000002
【特許請求の範囲】
【請求項１】
電動機部とこの電動機部により駆動される圧縮機構部と前記電動機部と前記圧縮機構部を収納した密閉容器と鉄製の外殻を有するアキュムレータとそれを支える脚から構成された密閉型圧縮機であって、前記アキュムレータ外殻の半径方向にマグネットを取り付けたことを特徴とする密閉型圧縮機。
【請求項２】
マグネットをアキュムレータ外殻の円周方向に取り付けたことを特徴とする密閉型圧縮機。
【発明の詳細な説明】
【技術分野】
【０００１】
本発明は、冷暖房、あるいは冷蔵庫等の冷却装置に用いられる密閉型圧縮機の振動の低減手法に関する。
【背景技術】
【０００２】
冷凍空調用の密閉圧縮機としては、レシプロ式のもの、ロータリ式のもの、スクロール式のものがあり、いずれの方式も家庭用、業務用の冷凍空調分野で使用されてきている。現在はコスト、性能面等でそれぞれの特徴を活かして成長してきている。
【０００３】
中でも圧縮機構および電動機構を容器に収納した圧縮機は、防音とメンテナンスフリーを意図したいわゆる密閉型圧縮機で代表され、スクロール圧縮機とロータリ圧縮機とが主流になっている。ロータリ圧縮機は従来、図３に示すように縦向きに設置する縦型のものが広く使用されている。このものは、密閉容器１０が溶接された脚１１によって支えられている。密閉容器１０内には、電動機部２０と圧縮機構部３０とを備えている。密閉容器１０には、蒸発器側と接続される吸入管１２と、吸入管１２に接続されるアキュームレータ１３と、凝縮器側と接続される吐出管１４とを備えている。インバータ等により１５Ｈｚ〜１５０Ｈｚの周波数で運転される電動機部２０は、固定子２１と回転子２２から構成され、固定子２１は、密閉容器１０内で固定され、回転子２２は、固定子２１内に回動自在に設けられている。圧縮機構部３０は、シリンダー３１と、クランク軸３２の偏心部３３によりシリンダー３１内を回転するピストン３４と、シリンダー３１とピストン３４によって形成される空間を圧縮空間と吸入空間に分離する図示しないベーンと、シリンダー３１及びピストン３４の両端面を閉塞する上下軸受３６、３７によって構成され、電動機部２０によって発生された駆動力がクランク軸３２の偏心部３３を通して伝達されている。
【０００４】
また、圧縮機、その他振動体の振動低減手法として、特許文献１に示されている図４のように、密閉容器１０に動吸振器１５を装着した構造のものが考案されていた。
【０００５】
また、回転式圧縮機の振動低減手法として、特許文献２に示されている図５および図６のように、密閉型圧縮機の重心を通り、クランク軸３２の軸心と直角な線分と交わる密閉容器１０の側壁に１８０°対向させた２つの錘４０を取り付けたものが考案されていた。
【特許文献１】実公昭５３−８９６１号公報
【特許文献２】実公昭６１−２４１４７１号公報
【発明の開示】
【発明が解決しようとする課題】
【０００６】
しかしながら、従来の圧縮機では、密閉容器の振動値を積極的に低減させる手法は採られていなかったので、圧縮機の密閉容器の振動が問題となっていた。
【０００７】
また、また、密閉容器の側壁に１８０°対向させた２つの錘を取り付けた特許文献２の構成では、密閉型圧縮機が空調装置に用いられるとき、錘が室外機のファンに接触しないようにしながら、かつ配管とも干渉しないように密閉型圧縮機を室外機の中に配置することは、著しく困難であった。
【課題を解決するための手段】
【０００８】
前記従来の課題を解決するために、本発明の密閉型圧縮機は、電動機部とこの電動機部により駆動される圧縮機構部と前記電動機部と前記圧縮機構部を収納した密閉容器と鉄製の外殻を有するアキュムレータおよびそれらを支える脚から構成された密閉型圧縮機のアキュムレータの鉄製外殻の円周方向、または、半径方向にマグネットを取り付けたことを特徴とする。
【発明の効果】
【０００９】
本発明の密閉型圧縮機は、圧縮によるトルク変動による回転方向の振動をアキュムレータにマグネットを取り付けることで、アキュムレータの質量を増加させることで低減することができる。
【００１０】
また、マグネットを使用することで、取り付けが容易であり、不要な場合は容易に外すことができるため、アキュムレータを共用化しながらも、質量を調整できる。
【発明を実施するための最良の形態】
【００１１】
以下、本発明の実施の形態について、図面を参照しながら説明する。
【００１２】
（実施の形態１）
図１は、本発明の実施の形態１における密閉型圧縮機の縦断面図である。
【００１３】
図１に示すように、密閉容器１０は溶接された脚１１によって支えられている。密閉容器１０内には、電動機部２０と圧縮機構部３０とを備えている。密閉容器１０には、蒸発器側と接続される吸入管１２と、吸入管１２に接続されるアキュームレータ１３と、凝縮器側と接続される吐出管１４とを備えている。インバータ等により１５Ｈｚ〜１５０Ｈｚの周波数で運転される電動機部２０は、固定子２１と回転子２２から構成され、固定子２１は、密閉容器１０内で固定され、回転子２２は、固定子２１内に回動自在に設けられている。電動機部２０によって駆動された圧縮機構部３０により、冷凍サイクル内の冷媒が圧縮され循環する仕組みになっている。そのときの圧縮工程で発生したトルク変動が、圧縮機の回転方向の振動となり、冷凍サイクルに伝達される。
【００１４】
アキュムレータ１３の半径方向にマグネット５０を取り付けることにより、圧縮機の回転方向の慣性モーメントが大きくなり、トルク変動で生じた円周方向の振動を低減することが可能となる。
【００１５】
（実施の形態２）
図２は、本発明の実施の形態２における密閉型圧縮機の平面図である。
【００１６】
図２に示すように、アキュムレータ１３の円周方向に２箇所同質量のマグネット５０を取り付けることで、同様の効果が得られる。
【産業上の利用可能性】
【００１７】
以上のように、本発明にかかる密閉型圧縮機は、ヒートポンプを用いた用途に適用できる。
【図面の簡単な説明】
【００１８】
【図１】本発明の実施の形態１における密閉型圧縮機の縦断面図
【図２】本発明の実施の形態１における密閉型圧縮機の平面図
【図３】従来の密閉型圧縮機の断面図
【図４】特許文献１に示されている振動低減例の側面図
【図５】特許文献２に示されている振動低減例の断面図
【図６】特許文献２に示されている振動低減例の平面図
【符号の説明】
【００１９】
１０  密閉容器
１１  脚
１２  吸入管
１３  アキュームレータ
１４  吐出管
１５  動吸振器
２０  電動機部
２１  固定子
２２  回転子
３０  圧縮機構部
３１  シリンダー
３２  クランク軸
３３  偏心部
３４  ピストン
３６  上軸受
３７  下軸受
４０  錘
５０  マグネット
【図１】
2009097394.tif 000003
【図２】
2009097394.tif 000004
【図３】
2009097394.tif 000005
【図４】
2009097394.tif 000006
【図５】
2009097394.tif 000007
【図６】
2009097394.tif 000008